(57)【要約】【課題】  被施療者に自然な姿勢をとらせつつ、腕部を施療することが可能なマッサージ機を提供する。【解決手段】  被施療者の上腕を保持する第１保持部分１１と、被施療者の前腕を保持する第２保持部分１２とによって、保持部１０を構成する。第１保持部分１１は、背凭れ部６の側部に取り付けられ、第２保持部分１２は、座部５の側方に設けられたガイドレール９に係合される。第１保持部分１１と第２保持部分１２とは枢着される。また、第１保持部分１１及び第２保持部分１２には、夫々空気袋を設ける。【選択図】      図１
2010046556.tif 000002
【特許請求の範囲】
【請求項１】
座部と、該座部に対して傾倒することが可能な背凭れ部とを備える椅子型のマッサージ機において、
前記背凭れ部の傾倒方向と略同一の方向へ移動することが可能であり、被施療者の腕部を保持する保持部と、
該保持部に設けられ、被施療者の腕部を施療する施療部とを備えることを特徴とするマッサージ機。
【請求項２】
前記保持部は、背凭れ部の傾倒に応じて移動することが可能な構成としてあることを特徴とする請求項１に記載のマッサージ機。
【請求項３】
前記保持部と前記背凭れ部とを連結する連結部を更に備えることを特徴とする請求項２に記載のマッサージ機。
【請求項４】
前記連結部は、可撓性を有するように構成されていることを特徴とする請求項３に記載のマッサージ機。
【請求項５】
前記保持部が、前記背凭れ部に移動可能に取り付けられていることを特徴とする請求項２に記載のマッサージ機。
【請求項６】
前記保持部は、被施療者の腕部を覆うことが可能な形状をなしていることを特徴とする請求項１乃至５の何れかに記載のマッサージ機。
【請求項７】
前記施療部は、被施療者の腕部を略全体に亘って施療することが可能であるように、前記保持部に設けられていることを特徴とする請求項６に記載のマッサージ機。
【請求項８】
前記保持部は、被施療者の上腕を保持する第１保持部分と、被施療者の前腕を保持する第２保持部分とを有することを特徴とする請求項１乃至７の何れかに記載のマッサージ機。
【請求項９】
前記第１保持部分と前記第２保持部分とが枢着されていることを特徴とする請求項８に記載のマッサージ機。
【請求項１０】
可撓性を有し、前記第１保持部分と前記第２保持部分とを連結する連結部を更に備えることを特徴とする請求項８に記載のマッサージ機。
【請求項１１】
前記座部の両側方に設けられたガイドレールを更に備え、前記保持部は、前記ガイドレールに沿って移動することが可能であるように、前記ガイドレールに係合されていることを特徴とする請求項１乃至１０の何れかに記載のマッサージ機。
【請求項１２】
一端が前記保持部に接続された略棒状の連結部材と、該連結部材の他端及び前記座部を接続するユニバーサルジョイントとを更に備えることを特徴とする請求項１乃至１０の何れかに記載のマッサージ機。
【請求項１３】
前記支持棒は伸縮することが可能であるように構成されていることを特徴とする請求項１２に記載のマッサージ機。
【請求項１４】
前記保持部は、保持した被施療者の腕部の長手方向へ伸縮することが可能であるように構成されていることを特徴とする請求項１乃至１３の何れかに記載のマッサージ機。
【請求項１５】
前記保持部は、保持した被施療者の腕部の腕周りの方向へ回動することが可能であるように構成されていることを特徴とする請求項１乃至１４の何れかに記載のマッサージ機。
【請求項１６】
前記保持部は、布状部材によって構成されていることを特徴とする請求項１乃至１５の何れかに記載のマッサージ機。
【請求項１７】
前記施療部は、膨張・収縮することが可能な空気袋を有することを特徴とする請求項１乃至１６の何れかに記載のマッサージ機。
【発明の詳細な説明】
【技術分野】
【０００１】
本発明は、被施療者の身体を施療するマッサージ機に関する。
【背景技術】
【０００２】
昨今、椅子型のマッサージ機が広く普及している。図１５は、この種のマッサージ機の構成の一例を示す斜視図である。図１５に示すように、椅子型のマッサージ機１０１は、座部１０２と、背凭れ部１０３とから主として構成されている。座部１０２の両側方には、肘掛け部１０４が設けられている。また、背凭れ部１０３の内部には、図示しないマッサージ機構が設けられている。被施療者は、座部１０２に着座し、肘掛け部１０４を腕置きとして用いて、マッサージ機１０１を使用する。また、背凭れ部１０３の下端部は、座部１０２の後部で回動自在に枢支されており、背凭れ部１０３をリクライニングさせることができるようになっている。
【発明の概要】
【発明が解決しようとする課題】
【０００３】
しかしながら、上述した如き従来のマッサージ機にあっては、肘掛け部１０４に例えばバイブレータ等の施療装置が設けられていないことが多く、被施療者の腕部を施療することができないという問題があった。
【０００４】
また、背凭れ部１０３を傾倒（リクライニング）させたときには、これに伴って被施療者の上体も傾倒するため、肘掛け部１０４上で被施療者の腕部が移動することとなる。従って、肘掛け部１０４にバイブレータ等の施療装置が設けられている場合であっても、背凭れ部１０３を傾倒させる前後では、施療装置による施療箇所が被施療者の腕部の異なる部位となったり、背凭れ部１０３の傾倒前には施療装置による被施療者の腕部の施療を行うことができても、傾倒後には被施療者の腕部から施療装置が離れてしまい、施療を行えない等の問題があった。
【０００５】
また、肘掛け部１０４の上面に、略前後方向へ移動可能な施療装置が設けられているマッサージ機もあるが、かかるマッサージ機では背凭れ部１０３の傾倒に合わせて施療装置を移動させて、背凭れ部１０３の傾倒前後での被施療者の腕部の略同一箇所を施療装置によって施療することができても、肘掛け部１０４が前後に短い場合には、背凭れ部１０３の傾倒後等に肘掛け部１０４の長さが足りずに被施療者の腕部が肘掛け部１０４から離れて、肘掛け部１０４が腕置きとしての役割を十分に果たせないことがあった。
【０００６】
また、通常肘掛け部１０４は前後に長い略棒状をなしており、その上面を被施療者の腕置きとして用いるようになっているため、バイブレータ等の施療装置を肘掛け部１０４に設けた場合であっても、被施療者の腕部の下側部分だけを施療するように構成されていることが多く、腕部の略全体を施療することができないものが殆どであった。
【０００７】
本発明は斯かる事情に鑑みてなされたものであり、被施療者の腕部を施療することが可能であり、しかも背凭れ部を傾倒させた場合にも、傾倒前の部位と殆ど同一の部位を施療することが可能なマッサージ機を提供することを目的とする。
【０００８】
また、本発明の他の目的は、例えば背凭れ部の傾倒によって、被施療者の腕部が移動した場合であっても、被施療者の腕部を保持することができるマッサージ機を提供することにある。
【０００９】
また、本発明の更に他の目的は、被施療者の腕部の略全体を施療することが可能なマッサージ機を提供することにある。
【課題を解決するための手段】
【００１０】
本発明に係るマッサージ機は、座部と、該座部に対して傾倒することが可能な背凭れ部とを備える椅子型のマッサージ機において、前記背凭れ部の傾倒方向と略同一の方向へ移動することが可能であり、被施療者の腕部を保持する保持部と、該保持部に設けられ、被施療者の腕部を施療する施療部とを備えることを特徴とする。
【００１１】
本発明に係るマッサージ機にあっては、保持部が背凭れ部の傾倒方向と略同一方向へ移動することが可能であるため、背凭れ部の傾倒に伴って保持部が移動した場合には、背凭れ部の傾倒前後において、被施療者の腕部と保持部との相対的な位置が殆ど変わることがない。よって、背凭れ部を傾倒させた場合にも、施療部によって傾倒前の部位と殆ど同一の部位を施療することが可能となる。
【００１２】
また、被施療者の腕部を保持したまま、保持部が移動することが可能であるため、被施療者の腕部が移動した場合であっても、被施療者の腕部を保持することができる。
【００１３】
また、上記発明においては、前記保持部は、背凭れ部の傾倒に応じて移動することが可能な構成とすることが望ましい。これにより、背凭れ部の傾倒に伴って、保持部を移動させることができる。
【００１４】
また、この場合においては、前記保持部と前記背凭れ部とを連結する連結部を更に備える構成とすることも可能である。これにより、背凭れ部が傾倒した場合に、保持部が背凭れ部に引っ張られるため、背凭れ部の傾倒に伴って保持部を移動させることが可能となる。
【００１５】
更にこの場合には、前記連結部は、可撓性を有するように構成されていることが望ましい。これにより、背凭れ部が傾倒した場合に、保持部を傾倒前の姿勢を概ね保ったまま移動させることが可能となり、傾倒後の被施療者の姿勢を自然なものとすることができる。また、背凭れ部又は座部から施療部への配管及び／又は配線を連結部の内部に設けた場合には、配管及び／又は配線が外部に露出することがないため、美的観点からも好ましい。
【００１６】
また、上記発明においては、前記保持部が、前記背凭れ部に移動可能に取り付けられている構成とすることも可能である。これにより、背凭れ部が傾倒した場合に、保持部を傾倒前の姿勢を概ね保ったまま移動させることが可能となり、傾倒後の被施療者の姿勢を自然なものとすることができる。
【００１７】
また、上記発明においては、前記保持部は、被施療者の腕部を覆うことが可能な形状をなしている構成とすることが望ましい。更にこの場合には、前記施療部は、被施療者の腕部を略全体に亘って施療することが可能であるように、前記保持部に設けられている構成とすることが望ましい。これにより、被施療者の腕部を略全体に亘って施療することが可能となる。
【００１８】
また、上記発明においては、前記保持部は、被施療者の上腕を保持する第１保持部分と、被施療者の前腕を保持する第２保持部分とを有する構成とすることができる。更にこの場合には、前記第１保持部分と前記第２保持部分とが枢着されている構成とするか、又は、可撓性を有し、前記第１保持部分と前記第２保持部分とを連結する連結部を更に備える構成とすることが望ましい。
【００１９】
背凭れ部が傾倒前後において、被施療者の肘の屈曲角度は変化する。従って、上記の構成とした場合には、第１保持部と第２保持部とがなす角度を変化させることができるため、背凭れ部の傾倒の前後で第１保持部と第２保持部とがなす角度を変化させることにより、背凭れ部の傾倒の前後で被施療者が肘の屈曲角度を変えることができる。よって、被施療者に自然な姿勢を保たせたまま、背凭れ部を傾倒させることができる。
【００２０】
また、上記発明においては、前記座部の両側方に設けられたガイドレールを更に備え、前記保持部は、前記ガイドレールに沿って移動することが可能であるように、前記ガイドレールに係合されている構成とすることが望ましい。
【００２１】
背凭れ部が後方へ傾倒された場合には、被施療者の腕部もこれに伴って略後方へ移動する。従って、略前後方向へ延びたガイドレールに沿って、保持部を移動させる構成とすることにより、保持部が被施療者の腕部を保持したまま、保持部を略前後方向へ移動させることが可能である。よって、被施療者に自然な姿勢を保たせたまま、背凭れ部を傾倒させることができる。
【００２２】
また、上記発明においては、一端が前記保持部に接続された略棒状の連結部材と、該連結部材の他端及び前記座部を接続するユニバーサルジョイントとを更に備える構成とすることが望ましい。これにより、連結部材がユニバーサルジョイントを支点として如何なる方向へでも傾倒することが可能であるので、保持部を多様な方向へ移動させることが可能となる。
【００２３】
また、この場合においては、前記支持棒は伸縮することが可能であるように構成されていることが望ましい。これにより、被施療者の体格に合わせて、保持部の位置を調節することが可能となる。
【００２４】
また、上記発明においては、前記保持部は、保持した被施療者の腕部の長手方向へ伸縮することが可能であるように構成されていることが望ましい。これにより、使用時（被施療者の腕部を保持部が保持している状態のとき）には、被施療者の腕部の多くの部分を保持部によって保持することができ、非使用時（被施療者の腕部を保持部が保持していない状態のとき）には、保持部をコンパクトにすることができる。
【００２５】
また、上記発明においては、前記保持部は、保持した被施療者の腕部の腕周りの方向へ回動することが可能であるように構成されていることが望ましい。これにより、被施療者の腕部の施療部位を調節することが可能となる。
【００２６】
また、上記発明においては、前記保持部は、布状部材によって構成されていることが望ましい。これにより、例えば肘掛けの上に保持部が配置されている場合であって、被施療者の腕部を保持部によって保持せずに、被施療者の腕部以外の身体部位を施療する目的でマッサージ機を使用するときには、保持部が肉薄であるので、被施療者が肘を掛けるときの邪魔にならない。
【００２７】
また、上記発明においては、前記施療部は、膨張・収縮することが可能な空気袋を有する構成とすることができる。
【発明の効果】
【００２８】
以上詳述した如く、本発明に係るマッサージ機によれば、施療部によって被施療者の腕部を施療することが可能であり、また、背凭れ部を傾倒させた場合にも、施療部によって被施療者の腕部の殆ど同一の部位を、傾倒前後において施療することが可能となる。
【００２９】
また、被施療者の腕部の略全体を施療することが可能となる等、本発明は優れた効果を奏する。
【図面の簡単な説明】
【００３０】
【図１】本発明の実施の形態１に係るマッサージ機の構成を示す斜視図である。
【図２】本発明の実施の形態１に係るマッサージ機が備える保持部の構成を示す斜視図である。
【図３】第１保持部分の背凭れ部に対する取り付け構造を示す拡大斜視図である。
【図４】背凭れ部に対する第１保持部分の取付構造を示す断面図である。
【図５】第１保持部分を幅方向へ切断したときの断面図である。
【図６】本発明の実施の形態２に係るマッサージ機の構成を示す斜視図である。
【図７】本発明の実施の形態３に係るマッサージ機の構成を示す斜視図である。
【図８】本発明の実施の形態３に係る肘掛け部及び保持部を幅方向へ切断したときの断面図である。
【図９】本発明の実施の形態４に係るマッサージ機の構成を示す斜視図である。
【図１０】本発明の実施の形態５に係るマッサージ機の要部の構成を示す拡大斜視図である。
【図１１】本発明の実施の形態６に係るマッサージ機の要部の構成を示す拡大斜視図である。
【図１２】本発明の実施の形態７に係るマッサージ機の構成を示す斜視図である。
【図１３】本発明に係るマッサージ機の保持部の形状を説明する模式的断面図である。
【図１４】本発明の実施の形態８に係るマッサージ機の要部の構成を示す拡大斜視図である。
【図１５】従来のマッサージ機の構成の一例を示す斜視図である。
【発明を実施するための形態】
【００３１】
以下、本発明の実施の形態について図面を参照しながら説明する。
【００３２】
（実施の形態１）
図１は、本発明の実施の形態１に係るマッサージ機の構成を示す斜視図である。図１に示す如く、本実施の形態１に係るマッサージ機１は、座部５，背凭れ部６，及びフットレスト７から主として構成されている。座部５は、水平配置された棒状の脚部５ａをその下部両側に夫々有する基台５ｂの上部に、クッション部５ｃが配されて構成されている。クッション部５ｃは、ウレタンフォーム，スポンジ，又は発泡スチロール製の内装材（図示せず）が基台５ｂの上面に載置されており、更にこれをポリエステル製の起毛トリコット，合成皮革，又は天然皮革等からなる外装材にて覆って構成されている。
【００３３】
座部５の上部前側には、被施療者の足首及び脹脛をマッサージするためのフットレスト７の上端部が枢着されている。これにより、フットレスト７は、その上端部を中心にして前後に回動可能とされている。
【００３４】
更に座部５の後部には、背凭れ部６が設けられている。背凭れ部６は、被施療者の上半身を支持すべく、一般的な体格の成人がマッサージ機１に着座した際に、該成人の身体の一部がその外部にはみ出ない程度の大きさとされており、前面視略長方形をなしている。背凭れ部６の下端部は、座部５の後部に横方向の枢軸によって枢支されており、この枢軸を中心に背凭れ部６が回動することにより、前後にリクライニングが可能とされている。
【００３５】
背凭れ部６の内部には、マッサージ機構８が設けられている。かかるマッサージ機構８の構成については、例えば特開2000-350756号公報にその詳細が記載されているので、こ
こではその説明を省略する。
【００３６】
また、座部５の両側方には、略前後方向へ延びたガイドレール９が設けられている。このガイドレール９には、夫々被施療者の腕部を保持するための保持部１０が係合している。
【００３７】
保持部１０の構成を更に詳しく説明する。図２は、保持部１０の構成を示す斜視図である。図２に示すように、保持部１０は、被施療者の上腕を保持するための第１保持部分１１と、被施療者の前腕を保持するための第２保持部分１２とから主として構成されている。第１保持部分１１は、断面視において略Ｃ字状の略半円筒形状をなしており、その一端部が背凭れ部６のガイドレール９より上方の箇所に取り付けられている。
【００３８】
第１保持部分１１の開口部（長手方向へ延びた欠落部分）は、一般的な体格の成人の上腕の太さよりも若干大きい幅とされており、第２保持部分１２の開口部は、一般的な体格の成人の前腕の太さよりも若干大きい幅とされている。従って、施療者の上腕及び前腕を第１保持部分１１及び第２保持部分１２へ夫々の開口部から挿入することが可能である。
【００３９】
図３は、第１保持部分１１の背凭れ部６に対する取り付け構造を示す拡大斜視図である。第１保持部分１１の一端部には、回転金具１３ａがその中央部分で枢着されている。この回転金具１３ａは、略角板状の部材の両端を、夫々略クランク形状に屈曲させた如き形状をなしている。即ち、回転金具１３ａの両端部は、夫々一方向へ突出した段部とされている。この段部の突出側の夫々には、ローラ１３ｂが各別に枢着されている。
【００４０】
従って、回転金具１３ａは、第１保持部分１１に対する取付軸を中心に回動することが可能であり、また、夫々のローラ１３ｂも回転金具１３ａに対して回転することが可能である。
【００４１】
図４は、背凭れ部６に対する第１保持部分１１の取付構造を示す断面図である。図４に示すように、ローラ１３ｂは背凭れ部６の側部に取り付けられたガイドレール１４に係合している。このガイドレール１４は、背凭れ部６の側部の長手方向に沿って設けられており、ローラ１３ｂがガイドレール１４内で転動することが可能である。よって、第１保持部分１１は、ガイドレール１４に沿って移動することが可能であるとともに、回転金具１３ａの取付軸を中心として回動することも可能である。
【００４２】
図５は、第１保持部分１１を幅方向へ切断したときの断面図である。図５に示すように、図５に示すように、第１保持部分１１は、比較的硬度が高い材料からなり、略Ｃ字状の断面形状を有する略半円筒形状の外殻部１１ａを備えている。この外殻部１１ａの内面の略全体には、空気袋１１ｂが設けられている。また、この空気袋１１ｂの表面には、図２で示すような、複数の空気袋１１ｃが設けられている。かかる空気袋１１ｂ，１１ｃは、夫々ポンプ、電磁弁等からなる、座部５又は背凭れ部６に設けられた給排気装置（図示せず）にエアホース（図示せず）によって接続されており、給排気装置の動作によって膨張・収縮することが可能となっている。また、空気袋１１ｂと空気袋１１ｃとは夫々独立に膨張・収縮するように構成されている。このような構成により、空気袋１１ｃが膨張・収縮することによって、被施療者の上腕部に圧迫刺激を与えたり、それを解放することができ、空気袋１１ｂが膨張・収縮することによって、空気袋１１ｃによる刺激の強さを調節することができる。
【００４３】
一方、第２保持部分１２は、その下部から係合部１２ａが下方へ突出している（図１参照）。そして、この係合部１２ａは、ガイドレール９に係合している。これにより、第２保持部分１２は、ガイドレール９に沿って略前後方向へ移動することが可能となっている。
【００４４】
また、第２保持部分１２の内面であって、被施療者の手首又は掌に相当する部分には、振動装置１５が設けられている。この振動装置が振動することにより、被施療者の手首又は掌に刺激を与えることが可能となっている。なお、第２保持部分１２のその他の構成は、第１保持部分の構成と略同様であるので、その説明を省略する。
【００４５】
このような第１保持部分１１と第２保持部分１２とは、略横方向の枢軸によって枢着されている。これによって、保持部１０は、この部分で屈曲することが可能となっている。
【００４６】
次に、本発明の実施の形態１に係るマッサージ機の動作について説明する。被施療者は、座部５に着座し、背凭れ部６に上体を凭れかけた状態で、上腕部を第１保持部分１１に、前腕部を第２保持部分１２に夫々挿入する。背凭れ部６が後方へ傾倒されたとき、第１保持部分１１は、背凭れ部６とともに後方へ移動する。背凭れ部６の被施療者の肩に当接する位置（以下、肩位置という）は、背凭れ部６の傾倒前後において異なることとなる。即ち、背凭れ部６の傾倒前における肩位置よりも、傾倒後における肩位置の方が、背凭れ部６の下側となる。このとき、第１保持部分１１は、このような肩位置の変化に合わせて、ガイドレール１４に沿って背凭れ部６の長手方向へ移動する。
【００４７】
また、第１保持部分１１が後方へ移動するため、これに引っ張られて第２保持部分１２がガイドレール９に沿って略後方へ移動する。第１保持部分１１の背凭れ部６との連結箇所は、背凭れ部６の傾倒とともに後方へ移動しつつ下方へ移動することとなる一方、第１保持部分１１の第２保持部分１２との連結箇所は、略後方へ移動するのみであり、このため第１保持部分１１は、背凭れ部６の傾倒に伴って、略後方へ移動しながら略後方へ傾倒することとなる。これに対して、第２保持部分１２は、ガイドレール９に沿って略後方へ移動するのみであるため、その傾倒角度は殆ど変化しない。よって、第１保持部分１１と第２保持部分１２とがなす角度は、背凭れ部６の傾倒に伴って変化することとなる。また、第１保持部分１１と第２保持部分１２との連結箇所は、被施療者の肘位置に相当するため、被施療者は、保持部１０の屈曲角度の変化に合わせて、肘の屈曲角度を自然に変化させることができる。これによって、背凭れ部６の傾倒後においても、被施療者は自然な姿勢を保つことができる。
【００４８】
また、前述した給排気装置の動作によって、第１保持部分１１に設けられた空気袋１１ｂ，１１ｃ及び第２保持部分１２に設けられた空気袋が膨張・収縮する。これにより、被施療者の腕部を略全体に亘って施療することができる。
【００４９】
（実施の形態２）
図６は、本発明の実施の形態２に係るマッサージ機の構成を示す斜視図である。図６に示すように、本発明の実施の形態２に係るマッサージ機１６は、椅子型をなしており、被施療者が着座するための座部１７と、被施療者の上半身を支持するための背凭れ部１８と、被施療者の足置きとして用いられるフットレスト１９とから主として構成されている。
【００５０】
座部１７は、基台１７ｂの上部に、クッション部１７ａが配されて構成されている。基台１７ｂは、比較的高い硬度を有する合成樹脂製であり、その内側が凹状に窪んだ形状とされている。クッション部１７ａは、ウレタンフォーム，スポンジ，又は発泡スチロール製の内装材（図示せず）が基台１７ｂの内面に載置されており、更にこれをポリエステル製の起毛トリコット，合成皮革，又は天然皮革等からなる外装材にて覆って構成されている。従って、座部１７は、被施療者が着座したときに、被施療者の腰部及び大腿部を背部から側部に亘って覆うような形状となっている。
【００５１】
また、クッション部１７ａは、被施療者の大腿部の背部に対応する凹状の内底部分と、該内底部分の両側部に設けられ、被施療者の大腿部の側部に対応する内側部分とから構成されており、内底部分の中央から左右に分割した領域が、夫々所定の曲率で窪んだ円弧面とされていて、内底部分の中央部が他の部分より若干盛り上がっている。これによって、被施療者が座部１７に着座したときに、被施療者の大腿部の形状とクッション部１７ａの形状とが概ね合致しているため、被施療者の大腿部にかかる負担が少なくてすむ。
【００５２】
フットレスト１９は、被施療者の下腿部を保持するための上部部材１９ａと、被施療者の足底を保持するための下部部材１９ｂとの２つの部材によって主として構成されている。上部部材１９ａは、凹状に窪んだ形状をなすカバー部１９ｃと、該カバー部１９ｃの内側に設けられたクッション部１９ｄとを有しており、クッション部１９ｄは、被施療者の両下腿部を覆うように保持すべく、凹状に窪んだ形状とされている。また、上部部材１９ａの上端部は、座部１７の上部前側の部分に枢着されており、これによりフットレスト１９がこの部分を支点として前後に回動可能とされている。
【００５３】
更にクッション部１９ｄの形状を詳しく説明すると、クッション部１９ｄは、被施療者の下腿部の背部に対応する凹状の内底部分と、該内底部分の両側部に設けられ、被施療者の下腿部の側部に対応する内側部分とから構成されており、内底部分の中央から左右に分割した領域が、夫々所定の曲率で窪んだ円弧面とされていて、内底部分の中央部が他の部分より若干盛り上がっている。
【００５４】
下部部材１９ｂもまた、凹状に窪んだ形状をなすカバー部１９ｅと、該カバー部１９ｅの内側に設けられたクッション部１９ｆとを有している。クッション部１９ｆは、カバー部１９ｅの凹状の内面の略全体にわたって設けられており、これによって、被施療者の両足を覆うように保持することが可能となっている。
【００５５】
更にクッション部１９ｆの形状を詳しく説明すると、クッション部１９ｆは、クッション部１９ｄと同様に、凹状の内底部分と、該内底部分の両側部に設けられた内側部分との３つの部分から構成されている。このクッション部１９ｆの内底部分は、被施療者の足底に対応し、内側部分は、被施療者の足の側部に対応している。また、クッション部１９ｄと同様に、内底部分の中央から左右に分割した領域が、夫々所定の曲率で窪んだ円弧面とされており、内底部分の中央部が他の部分よりも若干盛り上がっている。
【００５６】
また、下部部材１９ｂは、上部部材１９ａの下端部に枢着されており、前後方向に回動可能とされている。また、上部部材１９ａの背部、即ちカバー部１９ｃの凹状の外側の部分には、図示しないシリンダが設けられており、これによって上部部材１９ａと下部部材１９ｂとがなす角度を調節することが可能となっている。
【００５７】
背凭れ部１８は、座部１７の後部に設けられている。この背凭れ部１８は、例えばその下端部が基台１７ｂに前後に回動自在に枢着されており、これによってリクライニング可能とされている。なお、背凭れ部１８を傾倒させるに伴って、背凭れ部１８の下部を座部１７の内側に潜り込ませるように背凭れ部１８を移動させる構成としてもよい。このようにすることによって、被施療者の胴体の背部と、背凭れ部１８に内蔵され、被施療者の背中に機械的刺激を与えるためのマッサージ機構との相対的な位置のずれが発生することを抑制することができる。
【００５８】
また、背凭れ部１８は、被施療者の胴体を支持するための部分と、被施療者の頭部を支持するための部分とから主として構成されている。背凭れ部１８の全体は、内側が凹状に窪んだ形状をなすカバー部１８ａによって一体的に構成されており、このカバー部１８ａの内側に、被施療者の胴体を支持するためのクッション部１８ｂと、被施療者の頭部を支持するためのクッション部１８ｃとが上下に並べられた状態で設けられている。カバー部１８ａは、基台１７ｂと同じ材料によって、丸みを帯びた略舟形状に形成されており、クッション部１８ｂ，１８ｃは、前述したクッション部１７ａと同じ内装材及び外装材によって構成されている。
【００５９】
クッション部１８ｂは、被施療者が着座したときに、被施療者の胴体を背部から側部に亘って覆うような形状となっている。また、背凭れ部１８の内部、被施療者の胴体の背部に対応する箇所、即ち凹状の内底部分には、前述したマッサージ機構（図示せず）が設けられている。かかるマッサージ機構は、図示しないモータによって駆動され、背凭れ部１８に沿って昇降することが可能であり、また所謂揉み動作及びたたき動作等の施療動作を行うことが可能である。
【００６０】
また、カバー部１８ａは、クッション部１８ｂより前方に延設された部分を有しており、この部分の内側にも、クッション部１８ｄが設けられている。このクッション部１８ｄは、被施療者が着座したときに、被施療者の上腕部及び肩の側部を覆うような位置に設けられている。
【００６１】
また、前述したような各クッション部１７ａ，１８ｂ，１８ｃ，１８ｄ，１９ｄ，１９ｆには、夫々複数の空気袋（図示せず）が設けられており、図示しない給排気装置にかかる空気袋が接続されている。そして、このような給排気装置の動作によって、夫々の空気袋が膨張・収縮することが可能となっている。このような構成により、被施療者の身体各部、例えば、胴体の背部及び側部、肩部、頸部、大腿部の背部及び側部、下腿部の背部及び側部、並びに足底等に刺激を与えることができるようになっている。
【００６２】
前述したような座部１７の両側部には、２つのガイドレール２１が設けられている。このガイドレール２１には、被施療者の腕部を保持するための保持部１０が係合している。
【００６３】
また、背凭れ部１８のカバー１８ａは、被施療者が着座したときに、被施療者の肩に相当する部分が前方へ張り出した形状となっており、この先端部分に、保持部１０の第１保持部分１１が取り付けられている。この第１保持部分１１の取り付け構造は、実施の形態１に係るマッサージ機の第１保持部分１１の取り付け構造と同様であるので、その説明を省略する。
【００６４】
また、本実施の形態２に係るマッサージ機１６の保持部１０のその他の構成及び作用は、実施の形態１に係るマッサージ機１の保持部１０の構成及び作用と同様であるので、同符号を付し、その説明を省略する。
【００６５】
（実施の形態３）
図７は、本発明の実施の形態３に係るマッサージ機の構成を示す斜視図である。本実施の形態３に係るマッサージ機２２は、座部１７の両側部に、肘掛け部２３が夫々設けられている。この肘掛け部２３は、略前後方向に延びており、上下に若干湾曲した如き棒状をなしており、その上面を被施療者の腕置きとして利用することが可能となっている。また、肘掛け部２３の上方には、被施療者の前腕を保持するための保持部２４が配されている。
【００６６】
図８は、肘掛け部２３及び保持部２４を幅方向へ切断したときの断面図である。図８に示すように、肘掛け部２３の下部には、該肘掛け部２３の長手方向へ沿って、ガイドレール２５が設けられている。このガイドレール２５は、上下方向を厚さ方向とした略板状をなしており、その厚さ方向中間部分に、扁平な空隙部２５ａが設けられている。この空隙部２５ａは、ガイドレールの外側面、即ち、座部１７の反対側の側面にて開口しており、また、空隙部２５ａの座部１７側の端部は、その空隙の厚みが他の部分よりも拡大された拡大部２５ｂとなっている。この拡大部２５ｂは、横方向へ所定長さだけ設けられている。
【００６７】
このような空隙部２５ａには、保持部２４が有する移動部材２４ａが挿入されている。移動部材２４ａは、空隙部２５ａの薄い空隙部分よりも若干薄い板を、略直角に屈曲させた如き形状をなしており、略水平な板状の部分と、略鉛直な板状の部分とから主として構成されている。移動部材２４ａの略水平な板状の部分は、空隙部２５ａに係入せしめられている。また、この移動部材２４ａの略水平な板状の部分の先端部は、他の部分より厚みを増してあるストッパ２４ｂとされており、このストッパ２４ｂが前述した空隙部２５ａの拡大部２５ｂ内に配されている。ストッパ２４ｂの厚さは、拡大部２５ｂの厚さよりも薄く、空隙部２５ａの拡大部２５ｂ以外の部分よりも厚くされている。また、ストッパ２４ｂの横方向の長さは、拡大部２５ｂの横方向の長さよりも短くされている。従って、移動部材２４ａは、ストッパ２４ｂが、拡大部２５ｂの両側端に当接する範囲内で、横方向へ移動することが可能となっている。
【００６８】
また、移動部材２４ａの前後方向の長さは、空隙部２５ａの前後方向の長さよりも短くされている。これによって、移動部材２４ａは、その前後端が空隙部２５ａの前後端に当接する範囲内で、前後方向へ移動することが可能となっている。
【００６９】
このような移動部材２４ａの略鉛直な板状の部分の上端部は、ガイド部材２４ｃに接続されている。ガイド部材２４ｃは、板状部材が略円弧状に湾曲された如き形状をなしており、その湾曲の中心軸方向が略前後方向とされている。また、ガイド部材２４ｃの長手方向（軸長方向）の中間部分には、円弧の円周方向へ長い切り欠き部２４ｄが設けられている（図７参照）。
【００７０】
ガイド部材２４ｃの湾曲内側には、保持部分２６が配されている。この保持部分２６は、幅方向に切断したときの断面視において略Ｃ字状の略半円筒形状をなしており、その外面がガイド部材２４ｃの内面に略密接された状態となっている。
【００７１】
保持部分２６は、外殻部２６ａ及び空気袋２６ｂ，２６ｃによって主として構成されている。外殻部２６ａは、幅方向の断面視において略Ｃ字状の湾曲板状をなしており、比較的硬度が高い材料によって形成されている。また、外殻部２６ａの長さ方向（前後方向）中間部分の外面には、突起２６ｄが設けられている。この突起２６ｄは、ガイド部材２４ｃの切り欠き部２４ｄの幅よりも若干短い幅とされており、その頭部において幅が拡大されている。このような突起２６ｄは、切り欠き部２４ｄを貫通しており、その頭によって抜け止めがされた状態で、切り欠き部２４ｄに係合されている。従って、保持部分２６は、突起２６ｄが切り欠き部２４ｄ内で移動することが可能な範囲内で、湾曲の円周方向へ移動することが可能である。
【００７２】
また、外殻部２６ａの内面の略全面に亘って、空気袋２６ｂが設けられている。また、この空気袋２６ｂの表面には、複数の空気袋２６ｃが設けられている。かかる空気袋２６ｂ，２６ｃは、夫々ポンプ、電磁弁等からなる、座部１７又は背凭れ部１８に設けられた給排気装置（図示せず）にエアホース（図示せず）によって接続されており、給排気装置の動作によって膨張・収縮することが可能となっている。また、空気袋２６ｂと空気袋２６ｃとは夫々独立に膨張・収縮するように構成されている。このような構成により、空気袋２６ｃが膨張・収縮することによって、被施療者の上腕部に圧迫刺激を与えたり、それを解放することができ、空気袋２６ｂが膨張・収縮することによって、空気袋２６ｃによる刺激の強さを調節することができる。
【００７３】
また、外殻部２６ａの後端部分の外面の一箇所には、可撓性を有する連結部材２７の一端が接続されている。この連結部材２７は、ホース状のフレキシブルアーム等によって構成され、その内部に前記空気袋２６ｂ，２６ｃに連通するエアホース及び各種制御用の信号線等が配されている。また、連結部材２７の他端は、背凭れ部１８のカバー部１８ａの外面であって、マッサージ機２２に着座した被施療者の肩に相当する箇所に取り付けられている。
【００７４】
本実施の形態３に係るマッサージ機２２のその他の構成は、実施の形態２に係るマッサージ機１６の構成と同様であるので、同符号を付し、その説明を省略する。
【００７５】
以上の如き構成により、背凭れ部１８を後方へ傾倒させた場合には、連結部材２７によって保持部分２６が後方へ引っ張られ、これによって保持部分２６がガイドレール２５に沿って後方へ移動することとなる。よって、背凭れ部１８が後方へ傾倒された場合に、保持部分２６が被施療者の腕部とともに後方へ移動することとなり、背凭れ部１８の傾倒後にも、腕置きとしての役割を十分に発揮することができる。
【００７６】
また、保持部分２６が被施療者の腕部を中心として回動可能であるので、腕部の施療部位を被施療者の嗜好に合わせて調節することもできる。
【００７７】
（実施の形態４）
図９は、本発明の実施の形態４に係るマッサージ機の構成を示す斜視図である。図９に示す如く、本実施の形態４に係るマッサージ機２８は、被施療者の上腕を保持するための第１保持部分２９と、被施療者の前腕を保持するための第２保持部分３０とを有する保持部３１を備えている。第１保持部分２９の前端部分と、第２保持部分３０の後端部分とは、可撓性を有する連結部材３１ａによって連結されている。また、第１保持部分２９の後端部分と、背凭れ部１８のカバー部１８ａの一箇所とは、可撓性を有する連結部材３１ｂによって連結されている。なお、連結部材３１ａ，３１ｂの構成は、実施の形態３で説明した連結部材２７の構成と同様であるので、説明を省略する。
【００７８】
また、第２保持部分３０の外面の下部には、移動部材２４ａが取り付けられている。なお、第１保持部分２９及び第２保持部分３０のその他の構成は、実施の形態１において説明した第１保持部分１１及び第２保持部分１２の構成と同様であるので、説明を省略する。
【００７９】
また、本実施の形態４に係るマッサージ機２８のその他の構成は、実施の形態３に係るマッサージ機２２の構成と同様であるので、同符号を付し、その説明を省略する。
【００８０】
以上の如き構成により、本実施の形態４に係るマッサージ機２８では、第１保持部分２９と第２保持部分３０とが連結部材３１ａによって連結されているため、第１保持部分２９と第２保持部分３０との間を、如何なる方向へでも屈曲させることができる。また、第１保持部分２９と背凭れ部１８とが連結部材３１ｂによって連結されているため、背凭れ部１８に対して、第１保持部材を所定の範囲内で如何なる位置へでも移動させることができる。また、凭れ部１８が後方へ傾倒された場合に、連結部材３１ｂによって第１保持部分２９が後方へ引っ張られ、また連結部材３１ａによって第２保持部分３０が後方へ引っ張られて、第２保持部分３０がガイドレール２５に沿って後方へ移動することとなる。よって、背凭れ部１８が後方へ傾倒された場合に、第１保持部分２９と第２保持部分３０との間の角度が変化しつつ、第１保持部分２９が被施療者の上腕とともに、第２保持部分３０が被施療者の前腕とともに、後方へ移動することとなり、背凭れ部１８の傾倒後にも、保持部３１が腕置きとしての役割を十分に発揮することができる。
【００８１】
また、本実施の形態４に係るマッサージ機２８では、第１保持部分２９が、連結部材３１ａ，３１ｂによって、第２保持部分３０及び背凭れ部１８に夫々連結されているので、横方向にも移動することができる。従って、被施療者の体格に合わせて、第１保持部分２９が横方向へ移動することとなり、より一層被施療者に自然な姿勢をとらせることができる。
【００８２】
（実施の形態５）
図１０は、本発明の実施の形態５に係るマッサージ機の要部の構成を示す拡大斜視図である。本実施の形態５に係るマッサージ機は、図１０に示す如き保持部３２を備えている。保持部３２は、２つの保持部分３３，３４を備えている。保持部分３３，３４は、夫々幅方向に切断したときの断面視において略Ｃ字状の略半円筒形状をなしており、保持部分３３が前方、保持部分３４が後方に位置するように、前後に並べて同軸的に配置されている。保持部分３３，３４は、夫々略Ｃ字状の断面形状の湾曲板状をなす外殻部３３ａ，３４ａと、外殻部３３ａ，３４ａの内面の略全面に亘って夫々設けられた空気袋３３ｂ，３４ｂと、空気袋３３ｂ，３４ｂの表面に夫々複数設けられた空気袋３３ｃ，３４ｃとから主として構成されている。なお、保持部分３３，３４の構成は、実施の形態３において説明した保持部分２６の構成と同様であるので、説明を省略する。
【００８３】
保持部分３３，３４は、夫々第１支持部材３５によって支持されている。この第１支持部材３５は、幅方向の断面視において略Ｃ字状の湾曲板状をなしており、その内面に保持部分３３，３４が夫々摺動可能に取り付けられている。更に詳しく説明すると、外殻部３３ａの後端部分と、外殻部３３ｂの前端部分との両方に重なるように、第１支持部材３５は設けられており、外殻部３３ａ，３４ｂは夫々独立に、第１支持部材３５の内面を前後方向へ摺動することが可能となっている。
【００８４】
また、第１支持部材３５には、前後方向へ延びた２つの切り欠き部３５ａ，３５ｂが前後に並設されている。前側の切り欠き部３５ａは、外殻部３３ａの表面に設けられた突起３３ｄに係合しており、後側の切り欠き部３５ｂは、外殻部３４ａの表面に設けられた突起３４ｄに係合している。これによって、保持部分３３は、突起３３ｄが切り欠き部３５ａ内で移動可能な範囲において、第１支持部材３５に対して前後方向へ移動することが可能であり、保持部分３４は、突起３４ｄが切り欠き部３５ｂ内で移動可能な範囲において、第１支持部材３５に対して前後方向へ移動することが可能である。
【００８５】
このような第１支持部材３５は、第２支持部材３６に支持されている。第２支持部材３６は、幅方向の断面視において略Ｃ字状の湾曲板状をなしており、その内面に第１支持部材３５の外面が接するように、第１支持部材３５を支持している。また、第２支持部材３６には、円弧の円周方向へ延びた２つの切り欠き部３６ａが設けられており、これらの切り欠き部３６ａ夫々に、第１支持部材３５の外面に設けられた２つの突起３５ｃが係合している。これによって、第１支持部材３５は、突起３５ｃが切り欠き部３６ａ内で移動可能な範囲において、第２支持部材３６に対して円周方向へ移動することが可能である。
【００８６】
また、第２支持部材３６の外面には、移動部材２４ａが取り付けられている。本実施の形態５に係る移動部材２４ａは、複数のリブによって補強されている。なお、本実施の形態５に係るマッサージ機のその他の構成は、実施の形態３に係るマッサージ機２２の構成と同様であるので、同符号を付し、その説明を省略する。
【００８７】
以上の如き構成により、本実施の形態５に係るマッサージ機では、保持部分３３，３４を第１支持部材３５夫々前後方向へ移動することにより、被施療者の腕部の長さに合わせて、保持部３２の長さを調節することができる。
【００８８】
また、第１支持部材３５を円周方向へ移動させることにより、これと保持部分３３，３４が一体的に円周方向へ移動することとなり、空気袋３３ｃ，３４ｃによる施療位置を調節することができる。
【００８９】
（実施の形態６）
図１１は、本発明の実施の形態６に係るマッサージ機の要部の構成を示す拡大斜視図である。本実施の形態６に係るマッサージ機は、図１１に示す如き保持部３７を備えている。保持部３７は、幅方向の断面視において略Ｃ字状の略半円筒形状をなす保持部分３８と、この保持部分３８より小さい半径の略半円筒形状をなす保持部分３９とを有している。保持部分３８の先端部は、保持部分３９の後端部に重なった状態とされており、図示しない係合構造によって保持部分３８と保持部分３９とが相対的に前後方向へ移動可能な状態で係合されている。
また、保持部分３８は、幅方向の断面視において略Ｃ字状の略半円筒形状をなす外殻部３８ａと、空気袋３８ｂ，３８ｃとを備えている。外殻部３８ａの内面の内、保持部分３９の移動によって保持部分３９と重なりうる範囲を除いた部分の略全体に亘って、空気袋３８ｂが設けられており、この空気袋３８ｂの表面の数箇所に、複数の空気袋３８ｃが設けられている。
【００９０】
一方、保持部分３９は、略半円筒形状の外殻部３９ａと、空気袋３９ｂ，３９ｃとを備えている。外殻部３９ａの内面の略全体に亘って、空気袋３９ｂが設けられており、この空気袋３９ｂの表面の数箇所に、複数の空気袋３９ｃが設けられている。
【００９１】
また、外殻部３８ａの後端の一箇所には、可撓性を有する連結部材４０の一端が接続されている。この連結部材４０の他端は、図示しない背凭れ部に接続されている。また、外殻部３９ａの下部には、連結部材４１の一端が接続されている。この連結部材４１の他端は、図示しない座部に接続されている。このような連結部材４０，４１の構成は、実施の形態３で説明した連結部材２７の構成と同様であるので、説明を省略する。
【００９２】
なお、本実施の形態６に係るマッサージ機のその他の構成は、実施の形態３に係るマッサージ機２２からガイドレール２５を取り除いたもの同様の構成であるので、同符号を付し、その説明を省略する。
【００９３】
以上の如き構成により、本実施の形態６に係るマッサージ機では、保持部分３８と保持部分３９とが相対的に長手方向へ移動することが可能であるので、被施療者の体格に合わせて、保持部３７の長さを調節することができる。
【００９４】
また、保持部３７が、連結部材４０，４１によって背凭れ部及び座部に連結されているので、所定の範囲で保持部３７を如何なる方向へでも移動することができ、被施療者の体格に合わせて、保持部３７の位置の調整を行うことができる。
【００９５】
なお、本実施の形態６においては、連結部材４１が可撓性を有している構成について述べたが、これに限定されるものではなく、例えば、連結部材４１を棒状部材によって構成し、その上端を外殻部３９ａの下部に取り付け、その下端をユニバーサルジョイントを介して座部に接続する構成としてもよい。
【００９６】
また、この場合、連結部材４１を、例えばネジ構造等の公知の伸縮構造を利用することにより、伸縮自在に構成することが好ましい。これにより、被施療者の体格に合わせて保持部３７の位置（高さ）を調節することができる。
【００９７】
（実施の形態７）
図１２は、本発明の実施の形態７に係るマッサージ機の構成を示す斜視図である。本実施の形態７に係るマッサージ機４２は、被施療者の右腕用の第２保持部分１２の先端に、操作パネル４３が設けられている。この操作パネル４３には、図示しない複数の操作ボタンが設けられており、被施療者がこれらを押圧することによりマッサージ機に対して各種の動作指示を行うことができるようになっている。
【００９８】
なお、本実施の形態７に係るマッサージ機４２のその他の構成は、実施の形態２に係るマッサージ機１６の構成と同様であるので、同符号を付し、その説明を省略する。
【００９９】
以上の如き構成により、右腕用の第２保持部分１２と一体的に操作パネル４３が移動することとなるので、背凭れ部１８を傾倒させた場合であっても、被施療者の手元から操作パネル４３が離れることがなく、被施療者がマッサージ機４２の操作を行いやすい。
【０１００】
図１３は、本発明に係るマッサージ機の保持部の形状を説明する模式的断面図である。以上で説明した実施の形態１〜７においては、被施療者の腕部を保持する保持部を、図１３（ａ）で示すような、幅方向に切断したときの断面視において略Ｃ字状の半円筒形状をなしているものとしたが、これに限定されるものではなく、図１３（ｂ）〜（ｅ）に夫々示すような形状としてもよい。
【０１０１】
図１３（ｂ）は、保持部の形状を、幅方向の断面視において略Ｌ字状とした場合について説明する断面図である。図１３（ｃ）は、保持部の形状を、幅方向の断面視において所定角度だけ傾斜させた略チャネル状とした場合について説明する断面図である。図１３（ｄ）は、保持部の形状が幅方向の断面視において略Ｌ字状となっており、しかも保持部がその角部において屈曲されることが可能な構成について説明する断面図である。また、図１３（ｅ）は、保持部の形状を、幅方向の断面視において上方が開口する略チャネル状とした場合について説明する断面図である。
【０１０２】
また、図１３（ａ）〜（ｅ）で示すように、夫々の保持部をガイドレール等によって左右方向へ移動することが可能に構成してもよい。
【０１０３】
（実施の形態８）
図１４は、本発明の実施の形態８に係るマッサージ機の要部の構成を示す拡大斜視図である。本実施の形態８に係るマッサージ機は、図１４に示す如き保持部４４を備えている。保持部４４は、例えば略長方形の袋状の布製のカバー４４ａの内部に、複数の空気袋（図示せず）が設けられて構成されている。このカバー４４ａの両側縁部には、互いに係合可能なファスナ４４ｂの２つの歯状部材が夫々取り付けられている。従って、ファスナ４４ｂを閉じた場合には、保持部４４は筒状となり、ファスナ４４ｂを開ききった場合には、保持部４４は略長方形状に展開されることとなる。
【０１０４】
また、保持部４４は、肘掛け部に、前後方向へ移動自在に取り付けられていてもよい。更に、保持部４４は、図示しない背凭れ部にその一端（被施療者の上腕の肩近傍部に対応する箇所）が連結されていてもよい。
【０１０５】
なお、以上で説明した実施の形態１〜８に係るマッサージ機においては、左腕用の保持部の空気袋と、右腕用の保持部の空気袋とを夫々独立に駆動する構成とすることが望ましい。一般的に、同時に施療する箇所が少ないほど、マッサージ効果は高まると考えられている。これは、多くの箇所を同時に施療するよりも、少ない箇所を同時に施療する方が、施療箇所に対して加わっている刺激に被施療者の意識が集中しやすいためである。従って、被施療者の腕部を片腕毎に施療することにより、両腕を同時に施療する場合に比して、マッサージ効果を高めることが期待できる。また、被施療者の腕部を片腕毎に施療することによって、施療されていない腕でマッサージ機の操作を行うこともできる。
【符号の説明】
【０１０６】
１  マッサージ機
５  座部
６  背凭れ部
７  フットレスト
８  マッサージ機構
９  ガイドレール
１０  保持部
１１  第１保持部分
１１ａ  外殻部
１１ｂ  空気袋
１１ｃ  空気袋
１２  第２保持部分
１２ａ  係合部
１３ａ  回転金具
１３ｂ  ローラ
１４  ガイドレール
１５  振動装置
【図１】
2010046556.tif 000003
【図２】
2010046556.tif 000004
【図３】
2010046556.tif 000005
【図４】
2010046556.tif 000006
【図５】
2010046556.tif 000007
【図６】
2010046556.tif 000008
【図７】
2010046556.tif 000009
【図８】
2010046556.tif 000010
【図９】
2010046556.tif 000011
【図１０】
2010046556.tif 000012
【図１１】
2010046556.tif 000013
【図１２】
2010046556.tif 000014
【図１３】
2010046556.tif 000015
【図１４】
2010046556.tif 000016
【図１５】
2010046556.tif 000017
【手続補正書】
【提出日】平成21年12月4日(2009.12.4)
【手続補正１】
【補正対象書類名】特許請求の範囲
【補正対象項目名】全文
【補正方法】変更
【補正の内容】
【特許請求の範囲】
【請求項１】
被施療者が着座する座部と、前記被施療者の上半身を支持し前記座部に対して傾倒することが可能な背凭れ部と、前記被施療者の腕部を保持する保持部とを備え、
前記保持部は、前記座部の側方にて前方へ延設されており、前端部を基点に、前記座部に対して少なくとも前記座部の幅方向へ回動可能に構成されていることを特徴とするマッサージ機。
【請求項２】
前記保持部の前端部と前記座部とを連結する座部側連結部材を更に備え、
前記保持部は、前記座部側連結部材を基点に、前記座部に対して少なくとも前記座部の幅方向へ回動可能に構成されており、
前記座部側連結部材は、上下方向に伸縮可能に構成されていることを特徴とする請求項１に記載のマッサージ機。
【請求項３】
前記保持部は、保持した前記被施療者の腕部の長手方向に伸縮可能に構成されていることを特徴とする請求項１又は２に記載のマッサージ機。
【請求項４】
前記保持部は、第１保持部分と第２保持部分とを有し、前記第１保持部分と前記第２保持部分とが前記腕部の長手方向に相対変位して、伸縮するように構成されていることを特徴とする請求項３に記載のマッサージ機。
【請求項５】
前記保持部と前記背凭れ部とを連結する背凭れ側連結部材を更に備えていることを特徴とする請求項３又は４に記載のマッサージ機。
【請求項６】
前記保持部に設けられ、膨収縮することで前記被施療者の腕部を施療する空気袋と、
前記空気袋に接続され、前記空気袋に空気を導くためのエアホースとを更に備え、
前記エアホースは、前記座部側連結部材及び前記背凭れ側連結部材のうち少なくとも一方の部材内に配されていることを特徴とする請求項５に記載のマッサージ機。
【手続補正２】
【補正対象書類名】明細書
【補正対象項目名】０００３
【補正方法】削除
【補正の内容】
【手続補正３】
【補正対象書類名】明細書
【補正対象項目名】０００４
【補正方法】削除
【補正の内容】
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】変更
【補正の内容】
【００１０】
本発明に係るマッサージ機は、被施療者が着座する座部と、前記被施療者の上半身を支持し前記座部に対して傾倒することが可能な背凭れ部と、前記被施療者の腕部を保持する保持部とを備え、前記保持部は、前記座部の側方にて前方へ延設されており、前端部を基点に、前記座部に対して少なくとも前記座部の幅方向へ回動可能に構成されていることを特徴とする。
【手続補正１０】
【補正対象書類名】明細書
【補正対象項目名】００１１
【補正方法】変更
【補正の内容】
【００１１】
本発明に係るマッサージ機にあっては、保持部を座部の幅方向へ回動させることができ、被施療者の体格に合わせて、保持部の位置の調整を行うことができる。
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】変更
【補正の内容】
【００１３】
また、上記発明において、前記保持部の前端部と前記座部とを連結する座部側連結部材を更に備え、前記保持部は、前記座部側連結部材を基点に、前記座部に対して少なくとも前記座部の幅方向へ回動可能に構成されており、前記座部側連結部材は、上下方向に伸縮可能に構成されていることが望ましい。これにより、被施療者の体格に合わせて保持部の位置を調整することができる。
【手続補正１３】
【補正対象書類名】明細書
【補正対象項目名】００１４
【補正方法】変更
【補正の内容】
【００１４】
また、上記発明において、前記保持部は、保持した前記被施療者の腕部の長手方向に伸縮可能に構成されていることが好ましい。これにより、使用時（被施療者の腕部を保持部が保持している状態のとき）には、被施療者の腕部の多くの部分を保持部によって保持することができ、非使用時（被施療者の腕部を保持部が保持していない状態のとき）には、保持部をコンパクトにすることができる。
【手続補正１４】
【補正対象書類名】明細書
【補正対象項目名】００１５
【補正方法】変更
【補正の内容】
【００１５】
また、上記発明において、前記保持部は、第１保持部分と第２保持部分とを有し、前記第１保持部分と前記第２保持部分とが前記腕部の長手方向に相対変位して、伸縮するように構成されていることが望ましい。
【手続補正１５】
【補正対象書類名】明細書
【補正対象項目名】００１６
【補正方法】変更
【補正の内容】
【００１６】
また、上記発明において、前記保持部と前記背凭れ部とを連結する背凭れ側連結部材を更に備えていることが望ましい。これにより、背凭れ部を後方に傾倒させた場合、被施療者の腕部と共に保持部が背凭れ側連結部材により後方に移動することとなり、背凭れ部の傾倒後にも、腕置きとしての役割を果たすことができる。
【手続補正１６】
【補正対象書類名】明細書
【補正対象項目名】００１７
【補正方法】変更
【補正の内容】
【００１７】
また、上記発明において、前記保持部に設けられ、膨収縮することで前記被施療者の腕部を施療する空気袋と、前記空気袋に接続され、前記空気袋に空気を導くためのエアホースとを更に備え、前記エアホースは、前記座部側連結部材及び前記背凭れ側連結部材のうち少なくとも一方の部材内に配されていることが望ましい。
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】削除
【補正の内容】
【手続補正２３】
【補正対象書類名】明細書
【補正対象項目名】００２４
【補正方法】削除
【補正の内容】
【手続補正２４】
【補正対象書類名】明細書
【補正対象項目名】００２５
【補正方法】削除
【補正の内容】
【手続補正２５】
【補正対象書類名】明細書
【補正対象項目名】００２６
【補正方法】削除
【補正の内容】
【手続補正２６】
【補正対象書類名】明細書
【補正対象項目名】００２７
【補正方法】削除
【補正の内容】
【手続補正２７】
【補正対象書類名】明細書
【補正対象項目名】００２８
【補正方法】変更
【補正の内容】
【００２８】
以上詳述した如く、本発明に係るマッサージ機によれば、被施療者の体格に合わせて、被施療者の腕部を保持する保持部の位置を調整することが可能となる。
【手続補正２８】
【補正対象書類名】明細書
【補正対象項目名】００２９
【補正方法】削除
【補正の内容】